(57)【要約】      （修正有）【課題】サッカー及び軟式野球の個人技量を査定する簡易技量審査方法を提供する。【解決手段】２つの簡易技量審査方法であって、一つは経験年数とポジション履歴の2項目の入力により概算の個人技量レベル査定とポジションの妥当な配置を行う方法であり、もう一つは、技術指標に基づいて、個人の技量レベルを自己申告してもらう方法である。入力項目は低減し、スマートフォンから申込ができる。【選択図】なし【特許請求の範囲】
【請求項１】
サッカー、軟式野球に関して、経験年数と過去のポジション履歴を入力してもらうことにより、競技レベルの査定と妥当なポジション配置を行うための簡易入力の方法について。
【請求項２】
サッカーに関して、個人技量レベルを概算技量分類一覧表から申込者が自主申告し、また、過去のポジション履歴から妥当なポジション配置を行う簡易入力の方法について。
【発明の詳細な説明】
【技術分野】
【０００１】
本発明は、個人単位でメンバーを募集し、スポーツチームを作成する実践スポーツウェブサイトのプログラムに関するもので、Form画面エントリー入力項目に関するものである。
【背景技術】
【０００２】
2013年のデータだが、スマートフォンユーザー人口普及率は42.4％で前年度比10%の利用率向上、世帯別普及率では63%になる。PCの世帯別の普及率は2010年から2012年に掛けては世帯別普及率が83%から76%に減少している。このようなインターネット利用環境の日本では、スマートフォンを意図した画面設計をしないといけない。Form画面における入力項目の削減は、そのための課題であった。                                                            
【先行技術文献】
【特許文献】
【０００３】
【特許文献１】特許2014-163954特許2014-163954は個人単位の申込みで希望日にサッカー、軟式野球等のスポーツが容易にできるウェブサイトについてである。過去の競技履歴、現在の生活環境をHTMLのFORM要素、INPUT要素からエントリー入力を行い、PHPの条件分岐プログラムにより申込者の概算競技レベルを査定する。11段階のレベルに分類することができた。サッカーに関して同じレベルのメンバーでチーム編成ができるようになり、競技者が所定人数揃えば、ここでも分岐条件プログラムにより、申込者の特徴に応じた最適なフォーメーションを選定し、過去のポジション履歴と既に算出された個人技量レベルに基づきif-else文、switch文と論理演算子を用いて既に分類された11の個人技量レベルに基づいてプレイヤーの配置を自動で行う。そして所定のルールに基づき試合を行うものだ。監督のチーム編成の思考をプログラム化したものであった。軟式野球に関しては、同じレベルの競技者が所定人数揃えば、算出された個人技量レベル及び打順、守備の過去の履歴から自動で打順と守備位置を決定し、所定の競技ルールに基づき試合を行う。サッカーも軟式野球も即席で高質なチームを自動で作成できるようになり、個人単位の申込みで団体スポーツが容易に、そして間接経費を掛けずにできるようになった。
【特許文献２】特許2015-001286特許2015-001286は特許2014-163954の自動化の範囲を、監督が双方型のコミュニケーションツールを用い、個人データに基づいてポジション配置を決定するものだ。エントリー入力項目は特許2014-163954に加えてHtmlのtext要素が加わることになる。
【特許文献３】特許2015-001973特許2015-001973は軟式野球に関する技量レベル分類の方法について記述している。実績、経歴による技量分類だけでは個人目標を掲げることが難しく、守備と打撃に分類したものだ。本特許ではエントリー入力項目については特許2014-163954と同様で、査定の方式について述べたものであり、本特許との直接の関連性はないが技量を分類するという視点では共有している。
【特許文献４】特許2015-037974特許2015-03794では実践スポーツウェブサイトの根幹になる内容になるが、本特許との直接の関連性はない。
【０００４】
特許2014-163954、特許2015-001286、特許2015-001973では、書面上による個人技量レベルの11分類により、監督による個人技量レベルの審査という制度に結び付くものであった。構想としては初心者のレベル1〜3、中級者のレベル4〜レベル7、上級者のレベル8〜レベル11においての監督の技量査定が行われ、個人目標を持って上級を目指して取り組むというものである。
【発明の概要】
【発明が解決しようとする課題】
【０００５】
スマートフォンユーザーが増大する時代に、Form画面はエントリー入力項目数を低減しないといけない。従来の手法では、サッカーに関しては25項目、軟式野球に関しては33項目の入力項目があり、これではスマートフォンユーザーだけでなく、ＰＣユーザーにとっても負担の掛かる入力項目であった。
【課題を解決するための手段】
【０００６】
経験年数と過去のポジション履歴だけに基づいて競技レベルの分類とチームの編成、ポジション配置をすることにする。Htmlのプルダウンメニューの選択セレクトselect要素及びoption要素を用いて年数を入力する。ポジション履歴はinput要素及びPHPのarray関数を用いる。
<form>
<select name=”year”>
<option value=”year”>1</option>
<option value=”year”>2</option>
・・・・
</select>
<input type=”checkbox” name=”ポジション１” value=”position1”>ポジション１；
<input type=”checkbox” name=”ポジション２” value=”position1”>ポジション２；
・・・・
</form>
<?php
$value=array(
1=>”ポジション１”；2=>”ポジション２”；3=>…
$currents=$data[‘position experienced ’]
$link=db_connect();
Make_checkbox_tags_from_hash(“position 
experienced[]”,get_position 
experienced($link),$currents);
Db_close($link)
?>
【０００７】
もう一つの手法はレベルを申込者が自己申告するものである。サッカーに関して以下のようなレベル指標を申込者に提示する。
Level１：初心者
Level２：サッカー歴3年以上。リフティング50回。
Level３：サッカー歴6年未満。左右両足でミドルパスが出せる。リフティング100回。
Level４：サッカー歴6年以上。左右両足でミドルシュートが打てる。リフティング150回。
Level５：サッカー歴9年以上。高校選手権大会都道府県ベスト16以上。
Htmlを以下に示す。
<form>
<select name=”level”>
<option value=”level 1”>Level 1</option>
<option value=”level 1”>Level 2</option>
<option value=”level 1”>Level 3</option>
<option value=”level 1”>Level 4</option>
<option value=”level 1”>Level 5</option>
</select>
</form>
【発明の効果】
【０００８】
これにより従来サッカーに関して25項目、軟式野球に関して33項目入力が必要であった個人の技術レベルやポジション履歴を把握するための確認項目について、Form画面における入力項目がどちらも７項目に低減した。スマートフォンから申込が可能になった。図に示していない他の入力項目は身長、体重、喫煙状況、社会人になっての運動状況確認項目が２項目になる。ここで取扱う内容は、名前、性別、メールアドレス等の基本情報は除いている。これはシンプルな方法になる。もう一つの簡易分類方法は図３に示すように、個人の技量レベルを自己申告入力してもらう方法だ。これはサッカーに関しては有効な方法になる。個人技量レベルを５段階の指標を設け、その一覧表より技量レベルを自己申告してもらう。経験年数で概算技量を図るよりはやや精査な審査ができるというものだ。例えば経験年数は１０年だが、体重が増加し、下半身の衰えた社会人はリフティングを数多くできないのであって、そうした点が配慮できる。
【発明を実施するための形態】
【０００９】
入力項目が多かったのは、個人技量レベルを精査に分類することで、高精度なチームを即席で、それを自動で作成するためであり、監督による個人技量レベルの審査という制度に結び付くものであった。自己申告でない運営者側による精査なレベルの分類は、虚偽の報告を防ぐものでもある。また入力項目が多いと、よほど意欲のある人しか申込みしようとしなかった。またＰＣ所有者しか申込みができなかった。競技場が都心部では不足していることが考えられ、それであれば従来特許の手法が、申込者の厳選という視点から望ましいともいえる。しかしながら、他社と比較して、利便性において優位に立たなければ市場を独占されてしまうことになりうる。スポーツをしたくても、記入が面倒でしなくなるということは避けないといけない。また少子化により地方の競技場に多少なりとも空きがあるのであれば、本特許の手法により、より多くのユーザーに申込してもらう簡易申込方式を導入することが望ましい。また実践スポーツウェブサイトを開設しても、誰も検索してくれない時期が続くようであれば、申込者の意欲に関係なく、より多くの人に利用してもらうことを最優先して、Form画面を設計するべきだろう。
【産業上の利用可能性】
【００１０】
離脱率が大幅に改善されることが予測される。ここでいう離脱率は回遊離脱率ではなく、Form画面における離脱率についてである。離脱率の妥当な目安は30％〜50％といわれているが、従来の手法ではForm画面における離脱率がその値を大幅に超えたのではないかと推測される。ユニークユーザーを増やすための具体的方法が本特許で申請する手法になる。離脱率の改善により、より多くの人に活用されるウェブサイトとして利用されることになるだろう。